(57)【要約】【課題】仕切板の寸法が熱膨張等で伸びて変化しても、収納ボックスの側壁が変形することなく仕切板を収納ボックスに正規の状態で確実にかつ簡単に固定する。【解決手段】収納ボックス１１の右側壁１７に突設された一対の保持片部３５間に第１規制部３９と第２規制部４１とを設ける。仕切板２３の一端側の側縁に突設された第１係合突起部２７を第１規制部３９に下方から係合させて第１係合突起部２７の上方への離脱を規制する。仕切板２３の第１係合突起部２７背面側近傍を第２規制部４１に当接させて仕切板２３の一側端の長さ方向への移動を規制する。収納ボックス１１の底壁１３に突設した第１突条部の切欠凹部側面に第３規制部を設け、仕切板２３の他端側の下縁に突設された第２係合突起部基端側を第３規制部に下方から係合させて第２係合突起部の上方への離脱を規制するとともに、仕切板２３の他側端の長さ方向への移動を許容する。【選択図】図３
2008132129.tif 000002
【特許請求の範囲】
【請求項１】
樹脂製収納ボックスの内部を仕切る樹脂製仕切板を上記収納ボックスに固定する仕切板固定構造であって、
上記仕切板の一端側の側縁には、第１係合突起部が外方に向かって突設されているとともに、上記仕切板の他端側の下縁には、第２係合突起部が下方に向かって突設され、
上記収納ボックスの側壁には、上記仕切板の一側端が上方から挿入され該一側端を板厚方向から保持する一対の保持片部が突設され、
該両保持片部間には、上記仕切板の第１係合突起部が下方から係合し該第１係合突起部の上方への離脱を規制する第１規制部と、上記仕切板の第１係合突起部背面側近傍が当接し該仕切板の一側端の長さ方向への移動を規制する第２規制部とが設けられ、
上記収納ボックスの底壁には、上記仕切板の他側端が上方から挿入され該他側端を板厚方向から保持する切欠凹部を有する保持部が突設され、
該保持部の切欠凹部の側面には、上記仕切板の第２係合突起部の基端側が下方から係合し該第２係合突起部の上方への離脱を規制するとともに、上記仕切板の他側端の長さ方向への移動を許容する第３規制部が設けられていることを特徴とする収納ボックスの仕切板固定構造。
【請求項２】
請求項１に記載の収納ボックスの仕切板固定構造において、
仕切板の外周縁には、周壁が仕切板の板厚方向に張出形成され、上記仕切板の一側端を両保持片部で保持した状態で、第２規制部が第１係合突起部背面側近傍の周壁に当接するように上記周壁の第１係合突起部に対応する下方領域が切り欠かれていることを特徴とする収納ボックスの仕切板固定構造。
【請求項３】
樹脂製収納ボックスの内部を仕切る樹脂製仕切板を上記収納ボックスに固定する仕切板固定構造であって、
上記仕切板の中途部の下縁には、下向き係合凹部が下方に開放するように凹設されているとともに、上記仕切板の少なくとも一方の側端側の下縁内寄りには、該仕切板の長さ方向に延び側方に開放する横向き係合凹部又は横向きに突出する横向き係合凸部が形成され、
上記収納ボックスの底壁には、上記仕切板の下端が上方から挿入され該下端を板厚方向から保持する溝部が凹設され、
該溝部の中途部の底面には、上記仕切板の下向き係合凹部に下方から係合し該仕切板の中途部の長さ方向への移動を規制する上向き規制凸部が上向きに突設され、
上記溝部の少なくとも一方の端部寄りの両側面には、上記仕切板の横向き係合凹部又は横向き係合凸部に側方から係合し該仕切板の少なくとも一方の側端の上方への離脱を規制するとともに、長さ方向への移動を許容する横向きに突出する横向き規制凸部又は上記仕切板の長さ方向に延び側方に開放する横向き規制凹部が上記上向き規制凸部と距離を隔てて横向きに形成されていることを特徴とする収納ボックスの仕切板固定構造。
【請求項４】
樹脂製収納ボックスの内部を仕切る樹脂製仕切板を上記収納ボックスに固定する仕切板固定構造であって、
上記仕切板の中途部の下縁には、下向き係合凸部が下向きに突設されているとともに、上記仕切板両面の少なくとも一方の側端側の下縁内寄りには、横向きに突出する横向き係合凸部又は上記仕切板の長さ方向に延び側方に開放する横向き係合凹部が形成され、
上記収納ボックスの底壁には、上記仕切板の下向き係合凸部が上方から係合し該仕切板の中途部の長さ方向への移動を規制する上向き規制凹部が上方に開放するように凹設され、
該上向き規制凹部の少なくとも一方側の収納ボックスの底壁には、上記仕切板の側端が上方から挿入され該側端を板厚方向から保持する一対の保持ブロックが上記上向き規制凹部と距離を隔てて突設され、
該両保持ブロックの対向面には、上記仕切板の横向き係合凸部又は横向き係合凹部に側方から係合し該仕切板の側端の上方への離脱を規制するとともに、長さ方向への移動を許容する上記仕切板の長さ方向に延び側方に開放する横向き規制凹部又は横向きに突出する横向き規制凸部が形成されていることを特徴とする収納ボックスの仕切板固定構造。
【発明の詳細な説明】
【技術分野】
【０００１】
この発明は、収納ボックス及び仕切板が共に樹脂製である場合の仕切板固定構造の改良に関するものである。
【背景技術】
【０００２】
特許文献１には、車両の車体後部に設けられた荷室のフロア下方に設置された収納ボックスが開示され、該収納ボックスの内部は仕切板で仕切られている。この特許文献１では、２例の仕切板固定構造が挙げられている。
【０００３】
その１つは、仕切板の両側縁上端に係合突起部を板厚方向両側に張り出すように形成し、一方、収納ボックスの側壁及び底壁にＵ字状の係合溝部を連続して形成するとともに、上記側壁の係合溝部上端を幅広に形成し、仕切板の側縁及び下縁を上記係合溝部に係合させ、かつ上記係合突起部を係合溝部上端の幅広部に係合させるようにしている。
【０００４】
他の１つは、仕切板の両側縁上端に係合フックを下方に屈曲するように形成し、一方、収納ボックスの側壁及び底壁にＵ字状の係合溝部を連続して形成するとともに、上記側壁上端に切欠部を係合溝部上端が連続するように形成し、仕切板の側縁及び下縁を上記係合溝部に係合させ、かつ上記係合フックを上記切欠部に係合させるようにしている。
【特許文献１】特開２００２−２２５６３５号公報（段落００２０欄、段落００２１欄、図７〜９）
【発明の開示】
【発明が解決しようとする課題】
【０００５】
ところで、上記の特許文献１では、収納ボックス及び仕切板の材質は特に記載されていないが、これらが樹脂製である場合には熱膨張等で伸びると寸法が変化するため、仕切板の側縁及び下縁を収納ボックスの係合溝部に係合させることが難しく、仕切板を収納ボックスに正規の状態で固定できないことがある。さりとて、上記熱膨張等を考慮して収納ボックスと仕切板との間に隙間を設けると、ガタ付き音が発生する。また、仕切板を収納ボックスに無理矢理固定すると、収納ボックスの側壁が変形するという不具合が生ずる。
【０００６】
この発明はかかる点に鑑みてなされたものであり、その目的とするところは、仕切板の寸法が熱膨張等で伸びて変化しても、収納ボックスの側壁が変形することなく仕切板を収納ボックスに正規の状態で確実にかつ簡単に固定することである。
【課題を解決するための手段】
【０００７】
上記の目的を達成するため、この発明は、仕切板の熱膨張等による伸びを吸収できるようにしたことを特徴とする。
【０００８】
具体的には、この発明は、樹脂製収納ボックスの内部を仕切る樹脂製仕切板を上記収納ボックスに固定する仕切板固定構造を前提とし、次のような解決手段を講じた。
【０００９】
すなわち、請求項１に記載の発明は、上記仕切板の一端側の側縁には、第１係合突起部が外方に向かって突設されているとともに、上記仕切板の他端側の下縁には、第２係合突起部が下方に向かって突設され、上記収納ボックスの側壁には、上記仕切板の一側端が上方から挿入され該一側端を板厚方向から保持する一対の保持片部が突設され、該両保持片部間には、上記仕切板の第１係合突起部が下方から係合し該第１係合突起部の上方への離脱を規制する第１規制部と、上記仕切板の第１係合突起部背面側近傍が当接し該仕切板の一側端の長さ方向への移動を規制する第２規制部とが設けられ、上記収納ボックスの底壁には、上記仕切板の他側端が上方から挿入され該他側端を板厚方向から保持する切欠凹部を有する保持部が突設され、該保持部の切欠凹部の側面には、上記仕切板の第２係合突起部の基端側が下方から係合し該第２係合突起部の上方への離脱を規制するとともに、上記仕切板の他側端の長さ方向への移動を許容する第３規制部が設けられていることを特徴とする。
【００１０】
請求項２に記載の発明は、請求項１に記載の発明において、仕切板の外周縁には、周壁が仕切板の板厚方向に張出形成され、上記仕切板の一側端を両保持片部で保持した状態で、第２規制部が第１係合突起部背面側近傍の周壁に当接するように上記周壁の第１係合突起部に対応する下方領域が切り欠かれていることを特徴とする。
【００１１】
請求項３に記載の発明は、上記前提において、上記仕切板の中途部の下縁には、下向き係合凹部が下方に開放するように凹設されているとともに、上記仕切板の少なくとも一方の側端側の下縁内寄りには、該仕切板の長さ方向に延び側方に開放する横向き係合凹部又は横向きに突出する横向き係合凸部が形成され、上記収納ボックスの底壁には、上記仕切板の下端が上方から挿入され該下端を板厚方向から保持する溝部が凹設され、該溝部の中途部の底面には、上記仕切板の下向き係合凹部に下方から係合し該仕切板の中途部の長さ方向への移動を規制する上向き規制凸部が上向きに突設され、上記溝部の少なくとも一方の端部寄りの両側面には、上記仕切板の横向き係合凹部又は横向き係合凸部に側方から係合し該仕切板の少なくとも一方の側端の上方への離脱を規制するとともに、長さ方向への移動を許容する横向きに突出する横向き規制凸部又は上記仕切板の長さ方向に延び側方に開放する横向き規制凹部が上記上向き規制凸部と距離を隔てて横向きに形成されていることを特徴とする。
【００１２】
請求項４に記載の発明は、上記前提において、上記仕切板の中途部の下縁には、下向き係合凸部が下向きに突設されているとともに、上記仕切板両面の少なくとも一方の側端側の下縁内寄りには、横向きに突出する横向き係合凸部又は上記仕切板の長さ方向に延び側方に開放する横向き係合凹部が形成され、上記収納ボックスの底壁には、上記仕切板の下向き係合凸部が上方から係合し該仕切板の中途部の長さ方向への移動を規制する上向き規制凹部が上方に開放するように凹設され、該上向き規制凹部の少なくとも一方側の収納ボックスの底壁には、上記仕切板の側端が上方から挿入され該側端を板厚方向から保持する一対の保持ブロックが上記上向き規制凹部と距離を隔てて突設され、該両保持ブロックの対向面には、上記仕切板の横向き係合凸部又は横向き係合凹部に側方から係合し該仕切板の側端の上方への離脱を規制するとともに、長さ方向への移動を許容する上記仕切板の長さ方向に延び側方に開放する横向き規制凹部又は横向きに突出する横向き規制凸部が形成されていることを特徴とする。
【発明の効果】
【００１３】
請求項１に係る発明によれば、仕切板の一端側を収納ボックスの側壁に設けられた一対の保持片部間に挿入して保持するとともに、他端側を収納ボックスの底壁に突設された保持部の切欠凹部に挿入して保持するので、仕切板を収納ボックスの底壁に倒れないように立設することができる。
【００１４】
この際、仕切板の一端側の側縁に突設された第１係合突起部を、上記両保持片部間の第１規制部に下方から係合させて第１係合突起部の上方への離脱を規制するとともに、上記仕切板の第１係合突起部背面側近傍を上記両保持片部間の第２規制部に当接させて仕切板の一側端の長さ方向への移動を規制したので、仕切板を収納ボックスの底壁に位置決めすることができる。また、上記仕切板の他端側の下縁に突設された第２係合突起部を、上記保持部の切欠凹部の側面に設けられた第３規制部に下方から係合させて上記第２係合突起部の上方への離脱を規制するとともに、上記仕切板の他側端の長さ方向への移動を許容するようにしたので、仕切板が熱膨張等で伸びて寸法変化しても、その伸びは上記第２係合突起部が仕切板の長さ方向に移動することで吸収され、第１及び第２係合突起部や第１〜第３規制部に無理な力が作用せず、したがって、収納ボックスの側壁変形もなく、仕切板を収納ボックスに対して正規の状態で確実にかつ簡単に固定したり、取り外すことができる。
【００１５】
また、仕切板を収納ボックスに対して上方から押し付けるだけで、上記第１及び第２係合突起部と第１〜第３規制部との共働により仕切板を収納ボックスに確実にかつ簡単に固定することができるとともに、仕切板を上方に引っ張るだけで、上記第１係合突起部と第１規制部との係合、仕切板の第１係合突起部背面側近傍と第２規制部との当接、及び第２係合突起部と第３規制部との係合を解除して仕切板を収納ボックスから簡単に取り外すことができる。
【００１６】
請求項２に係る発明によれば、仕切板の剛性を周壁により高めることができ、よって仕切板の板厚を薄くして軽量化を図ることができる。
【００１７】
請求項３に係る発明によれば、仕切板の下端を収納ボックスの底壁に凹設された溝部に挿入して保持するので、仕切板を収納ボックスの底壁に倒れないように立設することができる。
【００１８】
この際、仕切板の中途部の下縁に凹設された下向き係合凹部に、収納ボックス側の溝部の上向き規制凸部を下方から係合させて仕切板の中途部の長さ方向への移動を規制したので、仕切板を収納ボックスの底壁に位置決めすることができる。また、上記仕切板の少なくとも一方の側端側の下縁内寄りに形成された横向き係合凹部又は横向き係合凸部に、上記溝部の少なくとも一方の端部寄りの両側面に突設された横向き規制凸部又は横向き規制凹部を側方から係合させて仕切板の少なくとも一方の側端の上方への離脱を規制するとともに、長さ方向への移動を許容するようにしたので、仕切板が熱膨張等で伸びて寸法変化しても、その伸びは上記横向き規制凸部又は横向き係合凸部が横向き係合凹部又は横向き規制凹部内で仕切板の長さ方向に移動することで吸収され、上向き規制凸部、横向き規制凸部又は横向き規制凹部、下向き係合凹部、横向き係合凹部又は横向き係合凸部の内面に無理な力が作用せず、したがって、収納ボックスの側壁変形もなく、仕切板を収納ボックスに対して正規の状態で確実にかつ簡単に固定したり、取り外すことができる。
【００１９】
また、仕切板を収納ボックスに対して上方から押し付けるだけで、仕切板側の下向き係合凹部、横向き係合凹部又は横向き係合凸部と、収納ボックス側の上向き規制凸部、横向き規制凸部又は横向き規制凹部との共働により仕切板を収納ボックスに確実にかつ簡単に固定することができるとともに、仕切板を上方に引っ張るだけで、上記下向き係合凹部と上向き規制凸部との係合、及び横向き係合凹部又は横向き係合凸部と横向き規制凸部又は横向き規制凹部との係合を解除して仕切板を収納ボックスから簡単に取り外すことができる。
【００２０】
さらに、収納ボックスの溝部内に上向き規制凸部、横向き規制凸部又は横向き規制凹部を設けたので、これらが収納ボックスの底壁に突出せず、収納物を効率良く収納することができる。
【００２１】
請求項４に係る発明によれば、仕切板の中途部の下縁に突設された下向き係合凸部を、収納ボックスの底壁に凹設された上向き規制凹部に上方から係合させて仕切板の中途部の長さ方向への移動を規制するとともに、仕切板の側端を収納ボックスの底壁に突設された一対の保持ブロック間に挿入して保持するので、仕切板を収納ボックスの底壁に倒れないように立設することができるとともに、仕切板を収納ボックスの底壁に位置決めすることができる。
【００２２】
この際、上記仕切板両面の少なくとも一方の側端側の下縁内寄りに突設された横向き係合凸部又は横向き係合凹部を、上記収納ボックスの一対の保持ブロックの対向面に凹設された横向き規制凹部又は横向き規制凸部に側方から係合させて仕切板の少なくとも一方の側端の上方への離脱を規制するとともに、長さ方向への移動を許容するようにしたので、仕切板が熱膨張等で伸びて寸法変化しても、その伸びは横向き係合凸部又は横向き規制凸部が横向き規制凹部又は横向き係合凹部内で仕切板の長さ方向に移動することで吸収され、上向き規制凹部、横向き規制凹部又は横向き規制凸部、下向き係合凸部、横向き係合凸部又は横向き係合凹部の内面に無理な力が作用せず、したがって、収納ボックスの側壁変形もなく、仕切板を収納ボックスに対して正規の状態で確実にかつ簡単に固定したり、取り外すことができる。
【００２３】
また、仕切板を収納ボックスに対して上方から押し付けるだけで、仕切板側の下向き係合凸部、横向き係合凸部又は横向き係合凹部と、収納ボックス側の上向き規制凹部、横向き規制凹部又は横向き規制凸部との共働により仕切板を収納ボックスに確実にかつ簡単に固定することができるとともに、仕切板を上方に引っ張るだけで、上記下向き係合凸部と上向き規制凹部との係合、及び横向き係合凸部又は横向き係合凹部と横向き規制凹部又は横向き規制凸部との係合を解除して仕切板を収納ボックスから簡単に取り外すことができる。
【発明を実施するための最良の形態】
【００２４】
以下、この発明の実施形態について図面に基づいて説明する。
【００２５】
（実施形態１）
図１２は車両１の車体３後部に設けられた荷室５を示し、該荷室５のフロア（図示せず）下方には皿状の筐体７が設置されている。該筐体７には２個の格納部８が車幅方向に並設され、車幅方向右側の格納部９には平面視略矩形の樹脂製収納ボックス１１が車体３後方から水平方向へ出入れ可能に格納されている。上記筐体７の車幅方向左側の格納部８には収納ボックス１１は格納されておらず、例えば長尺物を直接に格納するようになっているが、ここにも車幅方向右側の格納部９と同様に収納ボックス１１を格納してもよい。以下、収納ボックス１１が格納されている車幅方向右側の格納部９をボックス格納部９と称呼する。なお、図１２では筐体７を上方から覆うフロアパネルは省略している。
【００２６】
上記収納ボックス１１は、図１及び図２に示すように、底壁１３、左側壁１５、右側壁１７、前側壁１９及び後側壁２１で浅皿状に形成され、上記前側壁１９はカバー２２で覆われている。上記左側壁１５、前側壁１９及び後側壁２１は鉛直に形成されているが、上記右側壁１７は底壁１３側が傾斜している。上記収納ボックス１１の底壁１３及び右側壁１７には細長い略矩形の樹脂製仕切板２３が車幅方向に延びるように固定され、収納ボックス１１の内部が上記仕切板２３で仕切られている。
【００２７】
上記仕切板２３の長さ方向一端側の側縁下半部分（右側壁１７側の下半部分）は、図６及び図７に拡大して示すように、該右側壁１７側の下半部分の傾斜面に沿うように傾斜している。この仕切板２３の外周縁には、周壁２５が仕切板２３の板厚方向に張出形成され、該周壁２５は上記右側壁１７側の下半部分の傾斜面に沿う傾斜辺２３ａの領域（後述する第１係合突起部２７に対応する下方領域）が切り欠かれている。
【００２８】
上記仕切板２３の長さ方向一端側（右側壁１７側）の側縁における上下中程（傾斜辺２３ａ上方）には、図３にも拡大して示すように、第１係合突起部２７が仕切板２３の長さ方向に沿うように外方に向かって突設され、該第１係合突起部２７上方である側縁上端寄りの板厚方向両側、及び第１係合突起部２７の板厚方向両側の周壁２５には、図５にも拡大して示すように、板厚方向に僅かに膨出する膨出部２９が突設されている。一方、上記仕切板２３の長さ方向他端側（左側壁１５側）の下縁には、図４にも拡大して示すように、第２係合突起部３１が下方に向かって突設され、該第２係合突起部３１基端（上端）側の周壁２５は、後述する第３規制部５１が係合し易いように周壁２５よりも張出量が少ない小張出部２５ａとされている。また、上記第２係合突起部３１上方である仕切板２３の長さ方向他端側（左側壁１５側）の側縁下端における板厚方向両側にも、板厚方向に僅かに膨出する膨出部２９が突設されている。
【００２９】
上記収納ボックス１１の右側壁１７における上下方向中程から下端にかけての出入れ方向奥部側には、３個の縦長の凹所３３が接近して形成されているとともに、右側壁１７の出入れ方向中程から手前側にかけても、３個の縦長の凹所３３が間隔をあけて形成されている。そのうち、出入れ方向中程から手前側の３個の凹所３３の両側面３３ａには、図８及び図９に拡大して示すように、一対の保持片部３５が突設され、上記仕切板２３の長さ方向一側端（右側壁１７側）が両保持片部３５間及び凹所３３に上方から挿入され、該一側端（右側壁１７側）を両保持片部３５及び凹所３３の両側面３３ａで板厚方向から保持するようになっている。また、この状態で、仕切板２３の上下の膨出部２９が凹所３３の両側面３３ａに当接して仕切板２３がガタ付かないようにしている（図５参照）。出入れ方向奥部側の３個の凹所３３は、仕切板２３を不使用時に邪魔にならないように納めておくためのものであり、使用時に比べて安定性はそれほど必要ないので保持片部３５は設けられていない。
【００３０】
上記両保持片部３５間、つまり凹所３３の奥面３３ｂには、図８及び図９にも拡大して示すように、矩形開口部３７が形成され、該開口部３７の上辺には第１規制部３９が膨出形成されている。また、上記両保持片部３５間、つまり凹所３３の両側面３３ａには、一対の第２規制部４１が上下方向に延びるように並んで突設されている。そして、上記仕切板２３の長さ方向一側端（右側壁１７側）を両保持片部３５間及び凹所３３に上方から挿入して両保持片部３５及び凹所３３の側面３３ａで保持した際、上記仕切板２３の第１係合突起部２７が上記第１規制部３９に下方から係合し、該第１係合突起部２７の上方への離脱を規制するようになっている。また、この状態で、仕切板２３の周壁２５が切り欠かれている第１係合突起部２７下方領域から上記第２規制部４１が第１係合突起部２７背面側近傍（傾斜辺２３ａ）に進入して該第１係合突起部２７背面側近傍が上記第２規制部４１に当接し、該仕切板２３の一側端（右側壁１７側）の長さ方向への移動を規制するようになっている。出入れ方向奥部側の３個の凹所３３についても同様である。
【００３１】
上記収納ボックス１１の底壁１３の略左半分の領域は、図１及び図２に示すように、出入れ方向に延びる保持部としての第１突条部４３と幅方向に延びる第２突条部４５とで区画され、上記第１突条部４３には、６個の切欠凹部４７が上記右側壁１７の６個の凹所３３に対応するように形成されている。上記各切欠凹部４７は、図１０及び図１１に拡大して示すように、底面がなく、矩形の開口部４９が形成され、切欠凹部４７の両側面４７ａ下端寄りには、一対の第３規制部５１が水平方向に延びるように対向突設されている。そして、上記仕切板２３の長さ方向他側端（左側壁１５側）を切欠凹部４７に上方から挿入して該他側端を切欠凹部４７の両側面４７ａで板厚方向から保持した際、図４に拡大して示すように、上記仕切板２３の第２係合突起部３１基端（上端）側である周壁２５の小張出部２５ａが上記両第３規制部５１に下方から係合し、該第２係合突起部３１の上方への離脱を規制するとともに、仕切板２３の長さ方向への移動を許容するようになっている。
【００３２】
上記収納ボックス１１の左側壁１５にも、図２に示すように、右側壁１７と同様に一対の保持片部３５を有する凹所３３が２個形成され、該凹所３３にも第１及び第２規制部３９，４１や開口部３７が形成され、上記第１突条部４３の切欠凹部４７とで仕切板２３を固定するようになっている。この左側壁１５は鉛直面であるため、上記保持片部３５は右側壁１７の保持片部３５に比べて突出量は少なくなっている。
【００３３】
そして、この実施形態１の仕切板固定構造では、仕切板２３の一端側を収納ボックス１１の右側壁１７に設けられた一対の保持片部３５間及び凹所３３に挿入して保持するとともに、他端側を収納ボックス１１の底壁１３に突設された第１突条部４３の切欠凹部４７に挿入して保持するので、仕切板２３を収納ボックス１１の底壁１３に倒れないように立設することができる。
【００３４】
この際、仕切板２３の一端側の側縁に突設された第１係合突起部２７を、上記両保持片部３５間の第１規制部３９に下方から係合させて第１係合突起部２７の上方への離脱を規制するとともに、上記仕切板２３の第１係合突起部２７背面側近傍を上記両保持片部３５間の第２規制部４１に当接させて仕切板２３の一側端の長さ方向への移動を規制したので、仕切板２３を収納ボックス１１の底壁１３に位置決めすることができる。また、上記仕切板２３の他端側の下縁に突設された第２係合突起部３１を、第１突条部４３の切欠凹部４７の側面４７ａに設けられた第３規制部５１に下方から係合させて上記第２係合突起部３１の上方への離脱を規制するとともに、上記仕切板２３の他側端の長さ方向への移動を許容するようにしたので、仕切板２３が熱膨張等で伸びて寸法変化しても、その伸びは上記第２係合突起部３１が仕切板２３の長さ方向に移動することで吸収され、第１及び第２係合突起部２７，３１や第１〜第３規制部３９，４１，５１に無理な力が作用せず、したがって、収納ボックス１１の右側壁１７の変形もなく、仕切板２３を収納ボックス１１に対して正規の状態で確実にかつ簡単に固定したり、取り外すことができる。
【００３５】
また、仕切板２３を収納ボックス１１に対して上方から押し付けるだけで、上記第１及び第２係合突起部２７，３１と第１〜第３規制部３９，４１，５１との共働により仕切板２３を収納ボックス１１に確実にかつ簡単に固定することができるとともに、仕切板２３を上方に引っ張るだけで、上記第１係合突起部２７と第１規制部３９との係合、仕切板２３の第１係合突起部２７背面側近傍と第２規制部４１との当接、及び第２係合突起部３１と第３規制部５１との係合を解除して仕切板２３を収納ボックス１１から簡単に取り外すことができる。
【００３６】
加えて、仕切板２３の剛性を周壁２５により高めることができ、これにより、仕切板２３の板厚を薄くして軽量化を図ることができる。
【００３７】
（実施形態２）
図１３及び図１４はこの発明の実施形態２に係る仕切板固定構造を示す。
【００３８】
この実施形態２では、樹脂製収納ボックス１１は、底壁１３、左側壁１５、右側壁１７、前側壁１９及び後側壁２１で浅皿状に形成され、上記左側壁１５、右側壁１７、前側壁１９及び後側壁２１の全てが鉛直に形成されている。上記収納ボックス１１の底壁１３には、細長い略矩形の樹脂製仕切板２３が固定され、収納ボックス１１の内部が上記仕切板２３で仕切られている。
【００３９】
上記仕切板２３の長さ方向中途部（中央部）の下縁には、逆Ｕ字状の下向き係合凹部５３が下方に開放するように凹設されているとともに、上記仕切板２３の長さ方向両側端側の下縁内寄りには、仕切板２３の長さ方向に延びる矩形状の横向き係合凹部５５が側方及び端末側に開放するように形成されている。
【００４０】
上記収納ボックス１１の底壁１３には、断面Ｕ字状の溝部５７が幅方向全体に亘って凹設され、上記仕切板２３の下端が上記溝部５７に上方から挿入され、上記仕切板２３の下端を溝部５７の両側面５７ａで板厚方向から保持するようになっている。
【００４１】
上記溝部５７の長さ方向中途部（中央部）の底面５７ｂには、矩形状の上向き規制凸部５９が上向きに突設され、該上向き規制凸部５９が上記仕切板２３の下向き係合凹部５３に下方から係合し、該仕切板２３の長さ手方向への移動を上向き規制凸部５９で規制するようになっている。
【００４２】
上記溝部５７の長さ方向両端部寄りの両側面５７ａには、矩形状の横向き規制凸部６１が上記上向き規制凸部５９と距離を隔ててそれぞれ横向きに突設され、該両横向き規制凸部６１が上記仕切板２３の横向き係合凹部５５に側方から係合し、該仕切板２３の長さ方向両側端の上方への離脱を規制するとともに、長さ方向への移動を許容するようになっている。
【００４３】
そして、この実施形態２の仕切板固定構造では、仕切板２３の下端を収納ボックス１１の底壁１３に凹設された溝部５７に挿入して保持するので、仕切板２３を収納ボックス１１の底壁１３に倒れないように立設することができる。
【００４４】
この際、仕切板２３の中途部の下縁に凹設された下向き係合凹部５３に、収納ボックス１１側の溝部５７の上向き規制凸部５９を下方から係合させて仕切板２３の中途部の長さ方向への移動を規制したので、仕切板２３を収納ボックス１１の底壁１３に位置決めすることができる。また、上記仕切板２３の両側端側の下縁内寄りに形成された横向き係合凹部５５に、上記溝部５７の両端部寄りの両側面にそれぞれ突設された２個の横向き規制凸部６１を側方から係合させて仕切板２３の両側端の上方への離脱を規制するとともに、長さ方向への移動を許容するようにしたので、仕切板２３が熱膨張等で伸びて寸法変化しても、その伸びは上記横向き規制凸部６１が横向き係合凹部５５内で仕切板２３の長さ方向に移動することで吸収され、上向き規制凸部５９及び横向き規制凸部６１や下向き係合凹部５３及び横向き係合凹部５５の内面に無理な力が作用せず、したがって、収納ボックス１１の左側壁１５及び右側壁１７の変形もなく、仕切板２３を収納ボックス１１に対して正規の状態で確実にかつ簡単に固定したり、取り外すことができる。
【００４５】
また、仕切板２３を収納ボックス１１に対して上方から押し付けるだけで、上記下向き係合凹部５３及び横向き係合凹部５５と上向き規制凸部５９及び横向き規制凸部６１との共働により仕切板２３を収納ボックス１１に確実にかつ簡単に固定することができるとともに、仕切板２３を上方に引っ張るだけで、上記下向き係合凹部５３と上向き規制凸部５９との係合、及び横向き係合凹部５５と横向き規制凸部６１との係合を解除して仕切板２３を収納ボックス１１から簡単に取り外すことができる。
【００４６】
さらに、収納ボックス１１の溝部５７内に上向き規制凸部５９及び横向き規制凸部６１を設けたので、これらが収納ボックス１１の底壁１３に突出せず、収納物を効率良く収納することができる。
【００４７】
（実施形態３）
図１５及び図１６はこの発明の実施形態３に係る仕切板固定構造を示す。
【００４８】
この実施形態３では、樹脂製収納ボックス１１は、実施形態２と同様に、底壁１３、左側壁１５、右側壁１７、前側壁１９及び後側壁２１で浅皿状に形成され、上記左側壁１５、右側壁１７、前側壁１９及び後側壁２１の全てが鉛直に形成されている。上記収納ボックス１１の底壁１３には、細長い略矩形の樹脂製仕切板２３が固定され、収納ボックス１１の内部が上記仕切板２３で仕切られている。
【００４９】
上記仕切板２３の長さ方向中途部（中央部）の下縁には、矩形状の下向き係合凸部６３が下向きに突設されているとともに、上記仕切板２３両面の長さ方向両側端側の下縁内寄りには、矩形状の横向き係合凸部６５がそれぞれ横向きに突設されている。
【００５０】
上記収納ボックス１１の底壁１３には、上向き規制凹部６７が上方に開放するように凹設され、上記仕切板２３の下向き係合凸部６３が上記上向き規制凹部６７に上方から係合し、該仕切板２３の中途部の長さ方向への移動を規制するようになっている。
【００５１】
上記上向き規制凹部６７の両側の収納ボックス１１の底壁１３には、一対の保持ブロック６９が上記上向き規制凹部６７と距離を隔てて突設され、上記仕切板２３の長さ方向側端が上記両保持ブロック６９間に上方から挿入され、両側端を両保持ブロック６９で板厚方向から保持するようになっている。
【００５２】
上記両保持ブロック６９の対向面には、上記仕切板２３の長さ方向に延び側方に開放する長溝からなる横向き規制凹部７１が凹設され、上記仕切板２３の横向き係合凸部６５が側方から係合し、該仕切板２３の側端の上方への離脱を規制するとともに、長さ方向への移動を許容するようになっている。
【００５３】
そして、この実施形態３の仕切板固定構造では、仕切板２３の中途部の下縁に突設された下向き係合凸部６３を、収納ボックス１１の底壁１３に凹設された上向き規制凹部６７に上方から係合させて仕切板２３の中途部の長さ方向への移動を規制するとともに、仕切板２３の両側端を収納ボックス１１の底壁１３に突設された一対の保持ブロック６９間に挿入して保持するので、仕切板２３を収納ボックス１１の底壁１３に倒れないように立設することができるとともに、仕切板２３を収納ボックス１１の底壁１３に位置決めすることができる。
【００５４】
この際、上記仕切板２３両面の両側端側の下縁内寄りに突設された横向き係合凸部６５を、上記収納ボックス１１の一対の保持ブロック６９の対向面に凹設された横向き規制凹部７１に側方から係合させて仕切板２３の両側端の上方への離脱を規制するとともに、長さ方向への移動を許容するようにしたので、仕切板２３が熱膨張等で伸びて寸法変化しても、その伸びは上記横向き係合凸部６５が仕切板２３の長さ方向に移動することで吸収され、下向き係合凸部６３及び横向き係合凸部６５や上向き規制凹部６７及び横向き規制凹部７１内面に無理な力が作用せず、したがって、収納ボックス１１の左側壁１５及び右側壁１７の変形もなく、仕切板２３を収納ボックス１１に対して正規の状態で確実にかつ簡単に固定したり、取り外すことができる。
【００５５】
また、仕切板２３を収納ボックス１１に対して上方から押し付けるだけで、上記下向き係合凸部６３及び横向き係合凸部６５と上向き規制凹部６７及び横向き規制凹部７１との共働により仕切板２３を収納ボックス１１に確実にかつ簡単に固定することができるとともに、仕切板２３を上方に引っ張るだけで、上記下向き係合凸部６３と上向き規制凹部６７との係合、及び横向き係合凸部６５と横向き規制凹部７１との係合を解除して仕切板２３を収納ボックス１１から簡単に取り外すことができる。
【００５６】
なお、実施形態２における横向き係合凹部５５及び横向き規制凸部６１や、実施形態３における横向き係合凸部６５及び横向き規制凹部７１は、いずれか一方のみでも同様の作用効果を奏することができる。
【００５７】
また、実施形態２において、仕切板２３側の横向き係合凹部５５の代わりに横向き係合凸部を横向きに突設するとともに、収納ボックス１１側の横向き規制凸部６１の代わりに仕切板２３の長さ方向に延び側方に開放する横向き規制凹部を凹設してもよい。
【００５８】
さらに、実施形態３において、仕切板２３側の横向き係合凸部６５の代わりに仕切板２３の長さ方向に延び側方に開放する横向き係合凹部を横向きに突設するとともに、収納ボックス１１側の横向き規制凹部７１の代わりに横向き規制凹部を横向きに突設してもよい。
【００５９】
加えて、仕切板固定構造は、車両１の車体３後部に配置された収納ボックス１１に適用する場合に限らず、例えば、インストルメントパネル等に設けられた収納ボックスにも適用することができることは勿論、車両１以外の収納ボックスにも適用することができる。
【産業上の利用可能性】
【００６０】
この発明は、収納ボックス及び仕切板が共に樹脂製である場合の仕切板固定構造について有用である。
【図面の簡単な説明】
【００６１】
【図１】実施形態１における収納ボックスの斜視図である。
【図２】実施形態１における収納ボックスの平面図である。
【図３】図２のIII −III 線における断面図である。
【図４】図２のIV−IV線における断面図である。
【図５】図２のＶ−Ｖ線における断面図である。
【図６】実施形態１における仕切板の斜視図である。
【図７】実施形態１における仕切板の正面図である。
【図８】図１のＡ部拡大図である。
【図９】図８のＢ矢視図である。
【図１０】図１のＣ部拡大図である。
【図１１】図１０の平面図である。
【図１２】車両の車体後部に配置された収納ボックスの配置図である。
【図１３】実施形態２において仕切板を収納ボックスに固定する前の分解斜視図である。
【図１４】実施形態２において仕切板を収納ボックスに固定した状態を示す図１３のXIV −XIV 線に相当する断面図である。
【図１５】実施形態３において仕切板を収納ボックスに固定する前の分解斜視図である。
【図１６】実施形態３において仕切板を収納ボックスに固定した状態を示す図１５のXVI −XVI 線に相当する断面図である。
【符号の説明】
【００６２】
１１    収納ボックス
１３    底壁
１５    左側壁
１７    右側壁
２３    仕切板
２５    周壁
２７    第１係合突起部
３１    第２係合突起部
３５    保持片部
３９    第１規制部
４１    第２規制部
４３    第１突条部（保持部）
４７    切欠凹部
４７ａ  側面
５１    第３規制部
５３    下向き係合凹部
５５    横向き係合凹部
５７    溝部
５７ａ  側面
５７ｂ  底面
５９    上向き規制凸部
６１    横向き規制凸部
６３    下向き係合凸部
６５    横向き係合凸部
６７    上向き規制凹部
６９    保持ブロック
７１    横向き規制凹部
【図１】
2008132129.tif 000003
【図２】
2008132129.tif 000004
【図３】
2008132129.tif 000005
【図４】
2008132129.tif 000006
【図５】
2008132129.tif 000007
【図６】
2008132129.tif 000008
【図７】
2008132129.tif 000009
【図８】
2008132129.tif 000010
【図９】
2008132129.tif 000011
【図１０】
2008132129.tif 000012
【図１１】
2008132129.tif 000013
【図１２】
2008132129.tif 000014
【図１３】
2008132129.tif 000015
【図１４】
2008132129.tif 000016
【図１５】
2008132129.tif 000017
【図１６】
2008132129.tif 000018